(57)【要約】      （修正有）【課題】ハンドツールを使用する必要なく、電源供給器をコンピュータ筐体内に効果的に固定することができる、電源供給器固定装置を提供する。【解決手段】電源供給器をコンピュータ筐体内に効果的に固定できる電源供給器固定装置２０は、一端が着脱自在に前記コンピュータ筐体内の板体に取り付けられ、さらに圧迫面２０１１を利用して電源供給器を押さえ付け、他端を前記コンピュータ筐体の別の平面に取り付け、操作部２０３を圧迫位置に移動させると電源供給器を固定することができる。全操作においてハンドツールの補助が必要なく、かつネジ、ネジ孔等の結合部材も使用せず、電源供給器の取り付けと取り外しをより便利にすることができる。【選択図】図２
0003154133.tif 000002
【実用新案登録請求の範囲】
【請求項１】
コンピュータ筐体内部に取り付け、電源供給器を前記コンピュータ筐体内に固定することができる電源供給器固定装置であって、前記コンピュータ筐体の側面板に第１掛止孔が形成され、前記コンピュータ筐体の底板に第２掛止孔が形成され、前記電源供給器固定装置が、押止部、操作部、位置決め部を含み、そのうち、前記押止部の一端に前記コンピュータ筐体の前記第１掛止孔に掛止する第１鉤部が設けられ、他端を延伸して平面部が設けられ、前記操作部が第１枢着部材で前記平面部に軸着され、前記位置決め部の一端が第２枢着部材で前記平面部に軸着され、他端に第２鉤部が設けられ、前記操作部が圧迫位置に移動されると、前記第２鉤部が前記コンピュータ筐体の前記第２掛止孔に掛止されることを特徴とする、電源供給器固定装置。
【請求項２】
前記押止部と前記平面部が一体成型で成ることを特徴とする、請求項１に記載の電源供給器固定装置。
【請求項３】
前記押止部が前記平面部と実質上垂直を成すことを特徴とする、請求項１に記載の電源供給器固定装置。
【請求項４】
前記押止部と前記平面部の間が相互に枢着された関係を成すことを特徴とする、請求項１に記載の電源供給器固定装置。
【請求項５】
前記押止部の底平面に圧迫面を形成したことを特徴とする、請求項１に記載の電源供給器固定装置。
【請求項６】
前記圧迫面に少なくとも１つの弾性パッドを貼付したことを特徴とする、請求項５に記載の電源供給器固定装置。
【請求項７】
前記第２鉤部と前記第２掛止孔を掛止させた後、前記コンピュータ筐体の底板平面に接触点が形成されることを特徴とする、請求項１に記載の電源供給器固定装置。
【請求項８】
前記接触点に対応する前記底板平面に溝部を形成したことを特徴とする、請求項７に記載の電源供給器固定装置。
【考案の詳細な説明】
【技術分野】
【０００１】
本考案は電源供給器固定装置に関し、特に、ハンドツールを使用する必要なく、電源供給器の取り付けと取り外しを完了できる、電源供給器固定装置に関する。
【背景技術】
【０００２】
科学技術の進歩に伴い、コンピュータは普及が進み、すでに一般人の生活または仕事に欠かせない必需品となっている。一般にコンピュータ本体の内部にはマザーボードが設置され、ハードディスク、光学ドライブ、ディスプレイカード等の装置やインターフェースカードが接続され、かつ必要な電力を供給する電源供給器が設置される。
【０００３】
図１に従来のコンピュータ筐体の立体外観図を示す。この図に示すように、コンピュータ筐体１０内部の後方平面の位置に電源供給器１０１が設置され、この電源供給器１０１はコンピュータ筐体１０内部に組み込まれた電子装置に電力を供給することができる。従来のコンピュータ筐体１０は電源供給器１０１を取り付けるとき、まず電源供給器１０１をコンピュータ筐体１０内部の後方平面に配置し、複数のネジ１１とハンドツールを使用し、電源供給器１０１をコンピュータ筐体１０後方平面上に固定している。
【０００４】
しかしながら、このような従来の取り付け方法は、電源供給器１０１の一端のみが固定され、コンピュータ本体全体が動作するとき、振動が発生しやすく、また騒音が生じやすい。さらに、使用者が電源供給器１０１の取り付けまたは取り外しをする際、ハンドツールの使用が必要であり、取り外しの過程に手間がかかり、かつ取り外した後のネジ１１の保管が容易でなく、あちこちに散らばって容易に遺失してしまう。
【考案の概要】
【考案が解決しようとする課題】
【０００５】
上述の問題に鑑みて、本考案の考案者は電源供給器の応用、取り付け、その作動特性に対し研究と分析を行い、より適切な解決方法を見つけるに至った。
【０００６】
本考案の主な目的は、ハンドツールを使用する必要なく、電源供給器をコンピュータ筐体内に効果的に固定することができる、電源供給器固定装置を提供することにある。
【課題を解決するための手段】
【０００７】
本考案の電源供給器固定装置は、主にその一端に形成した第１鉤部をコンピュータ筐体内部の第１掛止孔に掛止して着脱自在な係着を形成し、かつ押止部を利用して電源供給器を押さえ、さらに固定装置の他端の第２鉤部をコンピュータ筐体内部の第２掛止孔に掛止し、かつ固定装置の操作部を押さえ位置まで移動して、前記押止部が電源供給器を押止し、電源供給器が位置決めされ、迅速に全体の取り付けが完了し、電源供給器が効果的に固定される。そのほか、コンピュータ本体が動作するとき、前記押止部が電源供給器を効果的に押止して振動を防止し、同時に騒音の発生を抑えることができる。
【図面の簡単な説明】
【０００８】
【図１】従来のコンピュータ筐体の立体外観図である。
【図２】本考案の立体分解図である。
【図３】本考案の組み立て完了後の立体図である。
【図４】本考案の実施を示す立体図である。
【図５】本考案の操作を示す側面図１である。
【図６】本考案の操作を示す側面図２である。
【図７】本考案の操作を示す側面図３である。
【図８】本考案の別の実施例の立体図である。
【実施例１】
【０００９】
図２に本考案の立体分解図を示す。この図に示す電源供給器固定装置２０は、主に押止部２０１、平面部２０２、操作部２０３、位置決め部２０４から構成される。そのうち、前記押止部２０１は概ね平面状であり、その下方の平面に圧迫面２０１１が設けられ、前記押止部２０１の一端に第１鉤部２０１２が形成され、他端が下方向に延伸されて前記平面部２０２が設けられ、かつ前記平面部２０２上に第１枢着部材２０３２で概ね三角形の操作部２０３が軸着される。この操作部２０３は使用者が指で動かすために供する作動部２０３１を備え、作動部２０３１を動かすことで前記操作部２０３が前記第１枢着部材２０３２を中心として回動される。また、前記操作部２０３上に、第２枢着部材２０３３で位置決め部２０４が軸着され、前記位置決め部２０４の末端に第２鉤部２０４１が形成される。さらに本図に示すように、前記押止部２０１と前記平面部２０２の間は連結状態を成し、両者は一体成型で製造することが最良ではあるが、本考案はこれに限らず、両者を分離した独立個体とし、相互を枢着させてもよい。このほか、前記押止部２０１と前記平面部２０２の間は相互に垂直とするのが最良ではあるが、挟角は９０度よりやや大きく、またはやや小さくすることもできる。図３に本考案の組み立て完了後の立体図を示す。
【００１０】
図４に本考案の実施を示す立体図を示す。この図に示すコンピュータ筐体３０は、相互にほぼ垂直の側面板３０１と底板３０２が設けられ、そのうち、前記側面板３０１の平面上に第１掛止孔３０１１が形成され、前記コンピュータ筐体３０の底板３０２の平面上に数個の弾性パッド３０２１が貼付され、電源供給器３１が前記弾性パッド３０２１上に配置される。このほか、前記底板３０２の平面上に第２掛止孔３０２２が形成される。本考案の電源供給器固定装置２０は、その一端の第１鉤部２０１２を前記第１掛止孔３０１１に掛止し、かつその第２鉤部２０４１を前記第２掛止孔３０２２に掛止することができる。
【００１１】
図５に本考案の操作を示す側面図１を示す。この図に示すように、本考案の実施時は、まず電源供給器３１をコンピュータ筐体３０内部の数個の弾性パッド３０２１上に配置し、電源供給器固定装置２０の第１鉤部２０１２をコンピュータ筐体３０の第１掛止孔３０１１に掛止し、電源供給器固定装置２０の一端を着脱自在にコンピュータ筐体３０上に取り付ける。電源供給器固定装置２０の一端の取り付けが完了した後、図に示すように、このとき平面部２０２、操作部２０３、位置決め部２０４に下方向に押圧する力をかけ(矢印で示す方向)、操作者が作動部２０３１を押圧すると、前記第２鉤部２０４１が連動されて、前記第２掛止孔３０２２の方向に挿入される。
【００１２】
図６に本考案の操作を示す側面図２を示す。前記第１鉤部２０１２を前記第１掛止孔３０１１に掛止した後、使用者が平面部２０２、操作部２０３、位置決め部２０４を下方向に押圧すると、前記押止部２０１の圧迫面２０１１が電源供給器３１の上平面に徐々に押し当てられ、圧迫面２０１１と電源供給器３１が相互に押し当てられる位置で、平面部２０２、操作部２０３、位置決め部２０４が継続して下方向に押圧される力に応じ、電源供給器３１が圧迫面２０１１の作用力を受けて効果的に固定され、かつ操作部２０３が継続して下方向に押圧される力を受けて、前記第２鉤部２０４１が下方向へ移動を続け、前記第２掛止孔３０２２に穿通される。
【００１３】
図７に本考案の操作を示す側面図３を示す。前記第２鉤部２０４１が前記第２掛止孔３０２２に穿通された後、使用者が上方向に前記作動部２０３１を戻すと、操作部２０３が前記第１枢着部材２０３２を中心として上方向に回動し、圧迫位置へと移動され、同時に前記位置決め部２０４が前記第２枢着部材２０３３を中心として上方向に回動し、前記第２鉤部２０４１が連動されて上方向へと移動し、前記第２掛止孔３０２２に掛止され、電源供給器３１が電源供給器固定装置２０に効果的に固定される。電源供給器固定装置２０両端の第１鉤部２０１２、第２鉤部２０４１がコンピュータ筐体３０内部の第１掛止孔３０１１、第２掛止孔３０２２にそれぞれ掛止されることで、電源供給器３１が電源供給器固定装置２０によりコンピュータ筐体３０内部に固定され、かつこの取り付けの過程において、ネジやその他ハンドツールの補助の必要なく固定を完了することができ、使用者がより迅速に電源供給器３１の取り付けや取り外しを行うことができる。
【００１４】
この後、使用者が電源供給器３１を取り外したいときは、まず操作部２０３の作動部２０３１に下方向へ押圧する力を加えると、操作部２０３が第１枢着部材２０３２を中心として下方向に回動し、圧迫位置を離脱すると同時に、位置決め部２０４が動かされ、第２枢着部材２０３３を中心として下方向に回動し、第２鉤部２０４１が接触点Ｂを離脱して、電源供給器固定装置２０全体がゆるんだ状態となり、取り外すことができる。
【００１５】
図５、図６、図７に示すように、本考案はさらに圧迫面２０１１と平面部２０２の背面に弾性パッド２０５を貼付することもでき、電源供給器固定装置２０と電源供給器３１の取り付け完了後、電源供給器３１に押し当てられる圧迫面２０１１と平面部２０２の背面がより緊密に電源供給器３１の相対する両側を圧迫できるようにして、より優れた固定効果を達することができる。
【００１６】
図７に示すように、コンピュータ本体の動作時には、相対して振動が発生するが、第２鉤部２０４１の掛止効果が振動の影響を受けないよう確保するため、本考案はさらに第２鉤部２０４１の掛止位置に溝部３０３を形成することができ、第２鉤部２０４１と第２掛止孔３０２２の掛止が完了したとき、第２鉤部２０４１の末端をさらに溝部３０３に掛止させ、電源供給器固定装置２０と電源供給器３１の取り付けが完了した後、溝部３０３により掛止後の固定の安定性を高め、電源供給器固定装置２０が振動によってゆるみ等が発生することがないよう確保することができる。
【実施例２】
【００１７】
図８に本考案の別の実施例の立体図を示す。本実施例の弾性パッド３０２１は一例であり、本考案の弾性パッドの数量を限定するものではなく、その数量は実際の構造上の必要に応じて変えることができる。さらに望ましくは、弾性パッド３０２１をストリップ状とし、さらに長細いパッド座部３０２３を組み合わせて、電源供給器の取り付け時に底部が受ける力がより平均的に分担され、使用時の全体の固定の安定性を高めることができる。
【００１８】
上述のように、本考案は主にコンピュータ筐体内部に第１掛止孔と第２掛止孔を形成し、第１掛止孔と固定装置の第１鉤部の掛止を完了した後、固定装置の操作部を圧迫位置へと移動させ、第２鉤部を第２掛止孔に掛止させ、ハンドツールの補助の必要なく、固定装置とコンピュータ筐体の相互の掛止によって迅速に電源供給器のコンピュータ筐体への取り付けと取り外しができ、かつ別途ネジ、ネジ孔等の結合部材が必要なく、使用者はより容易かつ便利に取り付けまたは取り外しの作業ができ、部材をなくしてしまってその後の取り付けができなくなるという状況を回避することもできる。さらに、本考案は押止部で電源供給器を押圧するため、コンピュータ本体の動作時に振動が発生しにくく、騒音の発生も抑えることができる。
【００１９】
以上で説明した技術内容は本考案の最良の実施例であり、本考案の実施の範囲を限定しない。関連技術を熟知した者が本考案の要旨の範囲を逸脱せずに行った同等効果の変化や修飾はすべて本考案の特許範囲内に含まれる。
【符号の説明】
【００２０】
１０                      コンピュータ筐体
１０１                    電源供給器
１１                      ネジ
２０                      電源供給器固定装置
２０１                    押止部
２０１１                  圧迫面
２０１２                  第１鉤部
２０２                    平面部
２０３                    操作部
２０３１                  作動部
２０３２                  第１枢着部材
２０３３                  第２枢着部材
２０４                    位置決め部
２０４１                  第２鉤部
２０５                    弾性パッド
３０                      コンピュータ筐体
３０１                    側面板
３０１１                  第１掛止孔
３０２                    底板
３０２１                  弾性パッド
３０２２                  第２掛止孔
３０２３                  パッド座部
３０３                    溝部
３１                      電源供給器
Ａ                        方向
Ｂ                        接触点
【図１】
0003154133.tif 000003
【図２】
0003154133.tif 000004
【図３】
0003154133.tif 000005
【図４】
0003154133.tif 000006
【図５】
0003154133.tif 000007
【図６】
0003154133.tif 000008
【図７】
0003154133.tif 000009
【図８】
0003154133.tif 000010